(57)【要約】【課題】  アドホックネットワークにおいて、ネットワーク識別子を一意に決定するまでの時間を短縮した、無線通信システムを提供する。【解決手段】  １つの管理装置が、ネットワーク内における、ネットワーク識別し一覧を管理し、管理装置は、ネットワーク識別子重複の有無を、問い合わせのあった装置に対して応答する。【選択図】        図１
2006211347.tif 000002
【特許請求の範囲】
【請求項１】
１以上の端末と、１以上の管理装置からなるネットワークにおいて、ネットワーク識別子を一意に決定する無線通信システムであって、
前記端末は、
ネットワーク参加時に、任意のネットワーク識別子を選択し、このネットワーク識別子をネットワークに対して報知することで、ネットワーク識別子の重複の有無を問い合わせる段階と、
前記問い合わせに対する、管理装置からの応答が、このネットワーク識別子はネットワーク内において重複していることを示す場合には、前記任意のネットワーク識別子の選択と、ネットワークへの報知による問い合わせとを、再度行う段階と、
前記問い合わせに対する、管理装置からの応答が、このネットワーク識別子はネットワーク内において重複していないことを示す場合には、このネットワーク識別子を、自身に設定する段階とを含み、
前記管理装置は、
ネットワーク参加時に、任意のネットワーク識別子を選択し、このネットワーク識別子をネットワークに対して報知することで、ネットワーク識別子の重複の有無を問い合わせる段階と、
前記問い合わせに対する、別の管理装置からの応答が、このネットワーク識別子はネットワーク内において重複していることを示す場合には、前記任意のネットワーク識別子の選択と、ネットワークへの報知による問い合わせとを、再度行う段階と、
前記問い合わせに対する、別の管理装置からの応答が、このネットワーク識別子はネットワーク内において重複していないことを示す場合には、このネットワーク識別子を、自身に設定する段階と、
前記問い合わせに対する、別の管理装置からの応答がない場合には、このネットワーク識別子を、自身に設定し、並びに、ネットワーク内で使用されているネットワーク識別子一覧の作成を開始し、他の端末及び管理装置から、ネットワーク識別子重複の有無の問い合わせがあれば、前記ネットワーク識別子一覧との比較によって、重複の有無を応答する段階とを含むことを特徴とする無線通信システム。
【請求項２】
請求項１記載の無線通信システムにおいて、前記管理装置は、前記重複の有無を応答する段階において、重複がないことを応答する場合には、前記問い合わせのあったネットワーク識別子を、前記ネットワーク識別子一覧に追加することを特徴とする無線通信システム。
【請求項３】
請求項１または２記載の無線通信システムにおいて、前記端末は、前記問い合わせに対する、前記管理装置からの応答がない場合には、前記ネットワーク識別子を、ネットワークに対して１回以上報知することで、ネットワーク識別子の重複の有無を、再度問い合わせることを特徴とする無線通信システム。
【請求項４】
請求項１乃至３いずれか記載の無線通信システムにおいて、前記端末は、前記問い合わせに対する、前記管理装置からの応答がない場合には、自身の出力手段に対して、応答がない旨を出力することを特徴とする無線通信システム。
【請求項５】
請求項１乃至４いずれか記載の無線通信システムにおいて、前記管理装置は、前記問い合わせに対する、前記別の管理装置からの応答がない場合には、自身の出力手段に対して、応答がない旨を出力することを特徴とする無線通信システム。
【請求項６】
請求項１乃至５いずれか記載の無線通信システムにおいて、ネットワーク識別子が重複していることを示す、前記の応答は、装置固有の識別子宛に送られることを特徴とする無線通信システム。
【発明の詳細な説明】
【技術分野】
【０００１】
本発明は無線通信システムに関する。特に、ネットワーク内で、ネットワーク識別子が重複しないような処理を行う無線通信システムに関する。
【背景技術】
【０００２】
ネットワークを構成する装置間で、正しく通信を行うためには、各装置に対して、ネットワーク識別子が、一意に割り当てられる必要がある。その理由は、もしネットワーク識別子が一意に割り当てられないと、すなわち、ネットワーク識別子の重複があると、通信したい装置とは別の装置と、通信する可能性があるからである。
【０００３】
ＩＰネットワークにおいては、ネットワーク識別子であるＩＰアドレスを、一意に割り当てる仕組みとして、ＤＨＣＰ（例えば、非特許文献１参照。）や、Ａｕｔｏ  ＩＰ（例えば、非特許文献２参照。）が、知られている。
【０００４】
ＤＨＣＰでは、ＤＨＣＰサーバが、ネットワークを構成する各装置に対して、ＩＰアドレスを割り当てる。これは、通常のネットワークを構成するのに適している。
【０００５】
Ａｕｔｏ  ＩＰでは、ネットワークを構成する各装置が、まず、所定のＩＰアドレス空間の中から任意のＩＰアドレスを選択する。次にネットワーク内を探索することで、ＩＰアドレスの重複による矛盾が生じないことを確認した後、実際に使用する。これは、アドホックネットワーク、すなわち、他のネットワークと接続しないようなネットワークを構成するのに適している。
【０００６】
更に、アドホックネットワークにおける、ネットワーク識別子の割り当て法として、次のようなものが知られている。
【０００７】
ネットワーク内の各装置は、通信時に、通信相手のネットワーク識別子を検知する。ネットワーク識別子が、通信相手と重複している時には、いずれか一方の装置がネットワーク識別子を変更することで、矛盾のないように、ネットワーク識別子を決定する（例えば、特許文献１参照。）。
【０００８】
ネットワーク内の各装置は、自分以外の全装置に関して、ネットワーク識別子の重複の有無を監視する。重複が発見された場合は、その旨を通知する。通知された装置は、重複がなくなるまで、ネットワーク識別子を変更することで、ネットワーク内のネットワーク識別子が一意に決定する（例えば、特許文献２参照。）。
【特許文献１】特開平９−８８２８号公報
【特許文献２】特開平２００２−１９０８１６号公報
【非特許文献１】ドゥロムス（Ｄｒｏｍｓ），“ダイナミック  ホスト  コンフィギュレーション  プロトコル（Ｄｙｎａｍｉｃ  Ｈｏｓｔ  Ｃｏｎｆｉｇｕｒａｔｉｏｎ  Ｐｒｏｔｏｃｏｌ）”，［ｏｎｌｉｎｅ］，１９９７年３月，［２００３年６月１９日検索］，インターネット＜ＵＲＬ：ｈｔｔｐ：／／ｗｗｗ．ｉｅｔｆ．ｏｒｇ／ｒｆｃ／ｒｆｃ２１３１．ｔｘｔ＞
【非特許文献２】トゥロル（Ｔｒｏｌｌ），  “ＩＰｖ４アドホックネットワークにおけるＩＰアドレスの自動設定（Ａｕｔｏｍａｔｉｃａｌｌｙ  Ｃｈｏｏｓｉｎｇ  ａｎ  ＩＰ  Ａｄｄｒｅｓｓ  ｉｎ  ａｎ  Ａｄ−Ｈｏｃ  ＩＰｖ４  Ｎｅｔｗｏｒｋ）”，  １９９９年４月１４日，  ［２００３年６月１９日検索］，  インターネット＜ＵＲＬ：ｈｔｔｐ：／／ｗｗｗ．ｉｅｔｆ．ｏｒｇ／ｐｒｏｃｅｅｄｉｎｇｓ／９９ｊｕｌ／Ｉ−Ｄ／ｄｒａｆｔ−ｉｅｔｆ−ｄｈｃ−ｉｐｖ４−ａｕｔｏｃｏｎｆｉｇ−０４．ｔｘｔ＞
【発明の開示】
【発明が解決しようとする課題】
【０００９】
上記の非特許文献１で示されたＤＨＣＰは、ＤＨＣＰサーバがネットワーク内に必要である。ＤＨＣＰサーバは、１ネットワーク内に１台存在するのが基本である。ＤＨＣＰサーバが、１ネットワーク内に２台以上存在すると、各ＤＨＣＰサーバが偶然、同一のネットワーク識別子すなわち、同一のＩＰアドレスを、異なる装置に割り当てる可能性がある。従って、このような場合は、各ＤＨＣＰサーバに対して、割り当てる範囲を制限するなどの設定が必要となる。このような設定には手間がかかるため、ＤＨＣＰは、アドホックネットワークには適さない。
【００１０】
上記の非特許文献２で示されたＡｕｔｏＩＰは、ネットワーク識別子の重複がないよう、ネットワーク内を探索することに非常に時間がかかるため、利用者の利便性を損なう要因ともなり得た。
【００１１】
上記の特許文献１は、各装置間での通信開始前に、ネットワーク識別子の重複を検出し、重複の場合は変更する手法をとっているため、通信開始までに時間がかかっていた。
【００１２】
上記の特許文献２は、ネットワーク内の各装置が、ネットワーク識別子の重複の有無を監視するために、ネットワークを流れる情報が多くなる。これにより、ネットワーク内のネットワーク識別子が一意に決定するまでに時間がかかっていた。
【００１３】
本発明は上述の課題に鑑みてなされたもので、その目的とするところは、アドホックネットワークにおいて、ネットワーク識別子を一意に決定するまでの時間を短縮した、無線通信システムを提供することである。
【課題を解決するための手段】
【００１４】
上記目的を達成するため、本発明にかかる無線通信システムは、次のように動作することを特徴とする。
【００１５】
すなわち、１以上の端末と、１以上の管理装置からなるネットワークにおいて、端末は、自身が選択した、任意のネットワーク識別子が、ネットワーク内において、重複しているかどうかを、ネットワークに対して報知することで問い合わせる。管理装置からの応答が、ネットワーク識別子が重複していないことを示すまで、前記の選択と問い合わせとを繰り返し、ネットワーク内で重複しないネットワーク識別子を、自身に設定する。管理装置は、自身が選択した、任意のネットワーク識別子が、ネットワーク内において、重複しているかどうかを、ネットワークに対して報知することで問い合わせる。別の管理装置からの応答が、ネットワーク識別子が重複していないことを示すまで、前記の選択と問い合わせとを繰り返し、ネットワーク内で重複しないネットワーク識別子を、自身に設定する。別の管理装置からの応答がない場合には、前記の問い合わせたネットワーク識別子を、自身に設定し、並びに、ネットワーク内で使用されているネットワーク識別子一覧の作成を開始する。他の端末及び管理装置からネットワーク識別子重複の有無の問い合わせがあれば、前記ネットワーク識別子一覧との比較によって、重複の有無を応答する。
【００１６】
また本発明にかかる無線通信システムは、前記管理装置に関して、前記重複の有無を応答する際に、応答が、重複がない旨のものである場合には、このときに問い合わせのあったネットワーク識別子を、前記ネットワーク識別子一覧に追加することを特徴とする。
【００１７】
また本発明にかかる無線通信システムは、前記端末に関して、前記問い合わせに対する、前記管理装置からの応答がない場合には、前記ネットワーク識別子を、ネットワークに対して１回以上報知することで、ネットワーク識別子の重複の有無を、再度問い合わせることを特徴とする。
【００１８】
また本発明にかかる無線通信システムは、前記管理装置に関して、前記問い合わせに対する、前記別の管理装置からの応答がない場合には、前記ネットワーク識別子を、ネットワークに対して１回以上報知することで、ネットワーク識別子の重複の有無を、再度問い合わせることを特徴とする。
【００１９】
また本発明にかかる無線通信システムは、前記端末に関して、前記問い合わせに対する、前記管理装置からの応答がない場合には、自身の出力手段に対して、応答がない旨を出力することを特徴とする。
【００２０】
また本発明にかかる無線通信システムは、前記管理装置に関して、前記問い合わせに対する、前記別の管理装置からの応答がない場合には、自身の出力手段に対して、応答がない旨を出力することを特徴とする。
【００２１】
また本発明にかかる無線通信システムは、ネットワーク識別子が重複していることを示す、前記の応答が、装置固有の識別子宛に送られることを特徴とする。
【発明の効果】
【００２２】
以上説明したように、本発明によれば、アドホックネットワークにおいて、管理装置がネットワーク内での識別子の重複を管理する為、ネットワーク識別子を一意に決定するまでの時間が短縮される。また、複数の管理装置が存在する場合でも、最初にネットワークに参加した管理装置だけが、識別子一覧を管理している為、従来必要であった、管理装置を設定する手間がかからない、という効果がある。
【発明を実施するための最良の形態】
【００２３】
以下、図面を参照して本発明の実施の形態について説明する。
【実施例】
【００２４】
（第一の実施例）
本発明の第一実施例における無線通信システムは、図２の構成である。図２における、端末１、管理装置２、３は、ＩＰ（Ｉｎｔｅｒｎｅｔ  Ｐｒｏｔｏｃｏｌ）を用いた通信によって、アドホックネットワークを構成する。ネットワーク識別子として、ＩＰアドレスを用いる。
【００２５】
ＩＰアドレス体系には、リンクローカルアドレスというものがある。これは、外部と接続されていない、単一のネットワークだけで利用できるアドレス空間である。具体的には、１６９．２５４．０．０〜１６９．２５４．２５５．２５５のＩＰアドレスがこれにあたる。このアドレス空間を用いて、アドホックネットワークを構成する。
【００２６】
端末１、管理装置２、３の、通信及び通信設定に関する機能ブロックは、図３の構成である。データ受信時、無線信号はアンテナ部１０１より取り込まれ、高周波処理部１０２においてベースバンド信号へと変換される。変換されたベースバンド信号は、ベースバンド処理部１０３でディジタルデータに変換される。変換されたディジタル信号は、媒体アクセス制御部１０４において、所定のデータフォーマットに変換され、制御部１０５へと送られる。データ送信時は、これとは逆にデータが流れる。
【００２７】
制御部１０５は、媒体アクセス制御部１０４からのデータを、メモリ１０６に保持するか、またはインターフェース１０７を介して、これと接続されている装置またはユニットに送る。制御部１０５はまた、インターフェース１０７に接続されている装置またはユニットからのデータを、メモリ１０６に保持するか、または媒体アクセス制御部１０４に送る。制御部１０５はまた、メモリ１０６に保持されているデータを、媒体アクセス制御部１０４に送るか、またはインターフェース１０７を介して、これと接続されている装置またはユニットに送る。制御部１０５はまた、データ処理を行う。１０８は、各部の状態を表したり、データを表示したりする表示部である。１０９は、各種設定を行う為の入力部である。
【００２８】
端末１は、ＩＰアドレスの設定に関して、制御部１０５の制御によって、図４の通り動作する。最初に、リンクローカルアドレスの中から、任意のＩＰアドレスを選択する（Ｓ４０１）。次に、選択したＩＰアドレスをネットワークに報知する（Ｓ４０２）ことで、ネットワーク識別子が重複していないかを問い合わせる。Ｓ４０３では問い合わせに対する、管理装置からの応答があるまで、問い合わせを繰り返す。応答があれば、Ｓ４０４に移る。
【００２９】
Ｓ４０４では、前記応答の内容が、Ｓ４０１で選択したＩＰアドレスはネットワーク内で重複していない旨のものであれば、これを自分のＩＰアドレスとして設定する（Ｓ４０５）。前記応答の内容が、Ｓ４０１で選択したＩＰアドレスはネットワーク内で重複している旨のものであれば、Ｓ４０１に移る。
【００３０】
管理装置２、３は、ＩＰアドレスの設定に関して、制御部１０５の制御によって、図５の通り動作する。最初に、リンクローカルアドレスの中から、任意のＩＰアドレスを選択する（Ｓ５０１）。次に、選択したＩＰアドレスをネットワークに報知する（Ｓ５０２）ことで、ネットワーク識別子が重複していないかを問い合わせる。Ｓ５０３では、別の管理装置からの応答があれば、Ｓ５０４に移る。応答がなければ、ＩＰアドレスリストの作成を開始（Ｓ５０５）する。更に、Ｓ５０１で選択したＩＰアドレスを、自分のＩＰアドレスとして設定する（Ｓ５０６）。
【００３１】
Ｓ５０４では、前記応答の内容が、Ｓ５０１で選択したＩＰアドレスはネットワーク内で重複していない旨のものであれば、これを自分のＩＰアドレスとして設定する（Ｓ５０６）。前記応答の内容が、Ｓ５０１で選択したＩＰアドレスはネットワーク内で重複している旨のものであれば、Ｓ５０１に移る。
【００３２】
ネットワーク識別子が重複していないかの問い合わせには、問い合わせる側のハードウェア固有アドレスである、ＭＡＣ（Ｍｅｄｉｕｍ  Ａｃｃｅｓｓ  Ｃｏｎｔｒｏｌ）アドレスが含まれている。管理装置からの応答時には、このＭＡＣアドレス宛に応答することで、ＩＰアドレスが未確定の段階でも、通信が可能となっている。
【００３３】
ＩＰアドレスリストの作成を開始（Ｓ５０５）した管理装置は、ネットワーク識別子が重複していないかの問い合わせがあった場合、問い合わせのあったＩＰアドレスと、ＩＰアドレスリストの各ＩＰアドレスとを比較する。比較の結果、一致するものがあれば、重複している旨の応答を出す。そうでなければ、重複していない旨の応答を出す。
【００３４】
本発明の第一実施例における無線通信システムは、図１のように動作する。最初に、管理装置２がネットワークに参加を試みる。尚、図５における、Ｓ５０１、Ｓ５０２、Ｓ５０５、Ｓ５０６が各々、図１における、Ｓ２５０１、Ｓ２５０２、Ｓ２５０５、Ｓ２５０６に対応している。Ｓ２５０１で任意のＩＰアドレスとして、１６９．２５４．１２．７を選択する。このＩＰアドレスをネットワークに報知する（Ｓ２５０２）ことで、重複の有無を確認する。この時点では、別の管理装置は存在しないので、応答はない。そこで、管理装置２が、ＩＰアドレスリストの作成を開始し、これの管理を行う（Ｓ２５０５）。自身のＩＰアドレスに、１６９．２５４．１２．７を設定する（Ｓ２５０６）。この時点では、ＩＰアドレスリストには、自身のＩＰアドレスだけが入っている（図６）。
【００３５】
次に、端末１がネットワークに参加を試みる。尚、図４における、Ｓ４０１、Ｓ４０２、Ｓ４０５が各々、図１における、Ｓ１４０１、Ｓ１４０２、Ｓ１４０５に対応している。Ｓ１４０１で任意のＩＰアドレスとして、１６９．２５４．１．４５を選択する。このＩＰアドレスをネットワークに報知する（Ｓ１４０２）ことで、重複の有無を確認する。管理装置２より、このＩＰアドレスは重複がない旨の応答があるので、自身のＩＰアドレスに、１６９．２５４．１．４５を設定する（Ｓ１４０５）。この時点では、管理装置２のＩＰアドレスリストには、以上２つのＩＰアドレスが入っている（図７）。
【００３６】
次に、管理装置３がネットワークに参加を試みる。尚、図５における、Ｓ５０１、Ｓ５０２、Ｓ５０５が各々、図１における、Ｓ３５０１、Ｓ３５０２、Ｓ３５０５に対応している。Ｓ３５０１で任意のＩＰアドレスとして、１６９．２５４．２２３．６８を選択する。このＩＰアドレスをネットワークに報知する（Ｓ３５０２）ことで、重複の有無を確認する。管理装置２より、このＩＰアドレスは重複がない旨の応答があるので、自身のＩＰアドレスに、１６９．２５４．２２３．６８を設定する（Ｓ３５０５）。この時点では、管理装置２のＩＰアドレスリストには、以上３つのＩＰアドレスが入っている（図８）。
【００３７】
（第二の実施例）
本発明の第二実施例における無線通信システムは、図９の構成である。端末１、管理装置２、３は、既にリンクローカルアドレスを用いたアドホックネットワークを構成している。各々に対して、ＩＰアドレスが図９の通り、割り振られている。ＩＰアドレスリスト（図８）は、管理装置２が管理している。このアドホックネットワークに、端末４と、管理装置５が参加することを想定する。
【００３８】
端末１、４、管理装置２、３、５の、通信及び通信設定に関する機能ブロックは、第一実施例と同じく、図３の構成である。
【００３９】
端末１、４は、ＩＰアドレスの設定に関して、制御部１０５の制御によって、図１３の通り動作する。尚、Ｓ４０１〜Ｓ４０５は、図４と同じである。最初に、リンクローカルアドレスの中から、任意のＩＰアドレスを選択する（Ｓ４０１）。次に、選択したＩＰアドレスをネットワークに報知する（Ｓ４０２）ことで、ネットワーク識別子が重複していないかを問い合わせる。Ｓ４０３では問い合わせに対する、管理装置からの応答があれば、Ｓ４０４に移る。応答がなければ、その旨を、表示部１０８に出力（Ｓ４０６）した上で、再度ネットワーク識別子が重複していないかを問い合わせる。これによって、応答がない場合の対応が容易になる。
【００４０】
Ｓ４０４では、前記応答の内容が、Ｓ４０１で選択したＩＰアドレスはネットワーク内で重複していない旨のものであれば、これを自分のＩＰアドレスとして設定する（Ｓ４０５）。前記応答の内容が、Ｓ４０１で選択したＩＰアドレスはネットワーク内で重複している旨のものであれば、Ｓ４０１に移る。
【００４１】
管理装置２、３、５は、ＩＰアドレスの設定に関して、制御部１０５の制御によって、図１４の通り動作する。尚、Ｓ５０１〜Ｓ５０６は、図５と同じである。最初に、リンクローカルアドレスの中から、任意のＩＰアドレスを選択する（Ｓ５０１）。次に、選択したＩＰアドレスをネットワークに報知する（Ｓ５０２）ことで、ネットワーク識別子が重複していないかを問い合わせる。Ｓ５０３では、別の管理装置からの応答があれば、Ｓ５０４に移る。応答がなければ、その旨を、表示部１０８に出力（Ｓ５０７）した上で、ＩＰアドレスリストの作成を開始（Ｓ５０５）する。これによって、応答がない場合の対応が容易になる。更に、Ｓ５０１で選択したＩＰアドレスを、自分のＩＰアドレスとして設定する（Ｓ５０６）。
【００４２】
Ｓ５０４では、前記応答の内容が、Ｓ５０１で選択したＩＰアドレスはネットワーク内で重複していない旨のものであれば、これを自分のＩＰアドレスとして設定する（Ｓ５０６）。前記応答の内容が、Ｓ５０１で選択したＩＰアドレスはネットワーク内で重複している旨のものであれば、Ｓ５０１に移る。
【００４３】
本発明の第二実施例における無線通信システムは、図１０のように動作する。まず、端末４がネットワークに参加を試みる。尚、図１０における、Ｓ４４０１、Ｓ４４０２、Ｓ４４１１、Ｓ４４１２、Ｓ４４１５が各々、図４における、Ｓ４０１、Ｓ４０２、Ｓ４０１、Ｓ４０２、Ｓ４０５に対応している。Ｓ４４０１で任意のＩＰアドレスとして、１６９．２５４．１．４５を選択する。このＩＰアドレスをネットワークに報知する（Ｓ４４０２）ことで、重複の有無を確認する。管理装置２は、図８のＩＰアドレスリストを参照し、重複を発見、その旨を応答する。管理装置２より、このＩＰアドレスは重複がある旨の応答があるので、端末４は再度、任意のＩＰアドレスとして、１６９．２５４．５．８１を選択する（Ｓ４４１１）。このＩＰアドレスをネットワークに報知する（Ｓ４４１２）ことで、重複の有無を確認する。管理装置２より、このＩＰアドレスは重複がない旨の応答があるので、自身のＩＰアドレスに、１６９．２５４．５．８１を設定する（Ｓ４４１５）。この時点では、管理装置２のＩＰアドレスリストには、４つのＩＰアドレスが入っている（図１１）。
【００４４】
次に、管理装置５がネットワークに参加を試みる。尚、図１０における、Ｓ５５０１、Ｓ５５０２、Ｓ５５１１、Ｓ５５１２、Ｓ５５１６が各々、図５における、Ｓ５０１、Ｓ５０２、Ｓ５０１、Ｓ５０２、Ｓ５０６に対応している。Ｓ５５０１で任意のＩＰアドレスとして、１６９．２５４．２２３．６８を選択する。このＩＰアドレスをネットワークに報知する（Ｓ５５０２）ことで、重複の有無を確認する。管理装置２は、図１１のＩＰアドレスリストを参照し、重複を発見、その旨を応答する。管理装置２より、このＩＰアドレスは重複がある旨の応答があるので、管理装置５は再度、任意のＩＰアドレスとして、１６９．２５４．１８２．３７を選択する（Ｓ５５１１）。このＩＰアドレスをネットワークに報知する（Ｓ５５１２）ことで、重複の有無を確認する。管理装置２より、このＩＰアドレスは重複がない旨の応答があるので、自身のＩＰアドレスに、１６９．２５４．１８２．３７を設定する（Ｓ５５１６）。この時点では、管理装置２のＩＰアドレスリストには、５つのＩＰアドレスが入っている（図１２）。
【図面の簡単な説明】
【００４５】
【図１】本発明の第一実施例における無線通信システムの動作を表した図
【図２】本発明の第一実施例における無線通信システムの構成図
【図３】本発明の実施例における、端末及び管理装置の、通信及び通信設定に関する機能ブロック図
【図４】本発明の第一実施例における、端末のＩＰアドレス設定に関する動作を表した図
【図５】本発明の第一実施例における、管理装置のＩＰアドレス設定に関する動作を表した図
【図６】本発明の実施例における、管理装置２が管理するＩＰアドレスリストの内容を示す図
【図７】本発明の実施例における、管理装置２が管理するＩＰアドレスリストの内容を示す図
【図８】本発明の実施例における、管理装置２が管理するＩＰアドレスリストの内容を示す図
【図９】本発明の第二実施例における無線通信システムの構成図
【図１０】本発明の第二実施例における無線通信システムの動作を表した図
【図１１】本発明の実施例における、管理装置２が管理するＩＰアドレスリストの内容を示す図
【図１２】本発明の実施例における、管理装置２が管理するＩＰアドレスリストの内容を示す図
【図１３】本発明の第二実施例における、端末のＩＰアドレス設定に関する動作を表した図
【図１４】本発明の第二実施例における、管理装置のＩＰアドレス設定に関する動作を表した図
【符号の説明】
【００４６】
１  端末
２  管理装置
３  管理装置
４  端末
５  管理装置
１０１  アンテナ部
１０２  高周波処理部
１０３  ベースバンド処理部
１０４  媒体アクセス制御部
１０５  制御部
１０６  メモリ
１０７  インターフェース
１０８  表示部
１０９  入力部
【図１】
2006211347.tif 000003
【図２】
2006211347.tif 000004
【図３】
2006211347.tif 000005
【図４】
2006211347.tif 000006
【図５】
2006211347.tif 000007
【図６】
2006211347.tif 000008
【図７】
2006211347.tif 000009
【図８】
2006211347.tif 000010
【図９】
2006211347.tif 000011
【図１０】
2006211347.tif 000012
【図１１】
2006211347.tif 000013
【図１２】
2006211347.tif 000014
【図１３】
2006211347.tif 000015
【図１４】
2006211347.tif 000016